(57)【特許請求の範囲】
【請求項１】
窓開口部に装着される複合窓枠内に金属框の屋内側露出部分を樹脂框で覆って複合型とした一対の引き違い障子を納めると共に、この障子にクレセント錠を取付けた複合サッシにおいて、
上記外障子に取付けたクレセント受け具の屋内側露出面に樹脂カバーを着脱自在に被着すると共に、該樹脂カバーはクレセント受け具に設けた係合突片に連係させてクレセントの掛け金具が回動摺接する弾性体からなる摺接部を一体的に設けてなり、
上記樹脂カバーは、クレセント受け具の開口部に連通する連通孔を設けてクレセント受け具の屋内側露出面の形状に略適合する形状にてなると共に、クレセント受け具の屋内側面においてクレセント受け具の係合突片と開口部を除く他の屋内側露出面を覆つてなり、
かつ、上記樹脂カバーの摺接部は、上記クレセント受け具の係合突片の背部に配置されて、該摺接部にクレセントの掛け金具が回動摺接自在とされることを特徴とする複合サッシの障子掛け止め構造。
【請求項２】
上記樹脂カバーの略中央部に一体的に設けた弾性体からなる略棒片を、クレセント受け具の係合突片の背部に巻き回すことによってクレセントの掛け金具が回動摺接する摺接部としてなることを特徴とする請求項１に記載の複合サッシの障子掛け止め構造。
【請求項３】
上記樹脂カバーに一体的に設けた摺接部は、クレセント受け具の係合突片の突出方向に向けて湾曲面を有してなり、この湾曲面にクレセントの掛け金具が回動摺接自在としてなることを特徴とする請求項２に記載の複合サッシの障子掛け止め構造。
【請求項４】
上記樹脂カバーは、一体的に設けた摺接部を、クレセント受け具の係合突片の背部に巻き回し係止すると共に、縁部において屋外側に向けて突設した固定爪をクレセント受け具の側縁に係止することにより、クレセント受け具に着脱自在に取付けられることを特徴とする請求項２又は３に記載の複合サッシの障子掛け止め構造。
【発明の詳細な説明】
【０００１】
【発明の属する技術分野】
本発明は、窓開口部に装着される複合窓枠内に金属框の屋内側露出部分を樹脂框で覆って複合型とした引き違い障子を納め、断熱性を向上させて結露の防止を図ると共に、クレセントの施錠摩擦音を解消するようにした複合サッシの障子掛け止め構造に関する。
【０００２】
【従来の技術】
近年、アルミサッシ等の金属枠からなる窓枠の屋内側露出部分に樹脂枠を備えた複合型のサッシ窓枠内に、金属框の屋内側露出部分を樹脂框で覆って複合型とした一対の引き違い障子を納めてなる複合サッシが使用されつつある。これは、金属枠や金属框の屋内側を金属に比して熱伝導率が極めて低い樹脂で覆うことにより、サッシ窓の断熱性の向上を図ると共に屋内側への結露を抑え、また金属枠や金属框の視覚的な冷たさを排除すると共に室内装飾との一体性を持たせることによって意匠の向上を図るものである。
【０００３】
【発明が解決しようとする課題】
そして、複合型のサッシ窓においては、金属枠に対しては、その屋内側露出部分の全面に樹脂枠が取付けられており、また、引き違い障子においては、主要な金属框の屋内側露出部分には樹脂框が取付けられている。
しかしながら、引き違い障子の召合框には障子を施錠するために金属部材からなるクレセント錠を取付けてあり、そしてこのクレセント錠は、その構造が複雑ゆえに樹脂材で覆うことは困難であるとして樹脂材は取付けられていなかった。
そのため、特に屋外側の障子に取付けたクレセント錠のクレセント受け具から、外気が屋内側の召合框に伝達して、サッシ窓の断熱性が部分的に低下することとなり、また金属製のクレセント受け具が室内側に露出して、部分的ではあるが金属部材の視覚的な冷たさを露出して複合サッシとしての商品価値を著しく低下せしめることとなっていた。
【０００４】
また一方、上記屋外側の障子に取付けたクレセント受け具と、屋内側の障子に取付けたクレセントの掛け金具は、各々がステンレススチールや亜鉛ダイカスト等の金属部材からなるため、掛け金具をクレセント受け具に係止する際に、回動接触による不快な摩擦音を発することが多々あり、特に、断熱性や気密性を向上させた複合サッシにおける上記摩擦音は、大変不快な現象であり、そのため、上記断熱性の向上と共に、この摩擦音を解消して音鳴り防止を図ることが複合サッシに対し強く望まれていた。
【０００５】
本発明は、上記従来の問題点に鑑みてなされたものであり、複合型窓枠として断熱性を向上させて結露の防止を十分に図る複合型のサッシにおいて、召合框に取付けるクレセント錠のクレセント受け具を樹脂材で覆って、障子框全体の断熱性を向上させると共に、クレセント錠の施錠時の不快な摩擦音を解消して音鳴り防止を図ることができる複合サッシの障子掛け止め構造を提供することを目的としている。
【０００６】
【課題を解決するための手段】
上記目的を達成するため請求項１記載の本発明は、窓開口部に装着される複合窓枠内に金属框の屋内側露出部分を樹脂框で覆って複合型とした一対の引き違い障子を納めると共に、この障子にクレセント錠を取付けた複合サッシにおいて、
上記外障子に取付けたクレセント受け具の屋内側露出面に樹脂カバーを着脱自在に被着すると共に、該樹脂カバーはクレセント受け具に設けた係合突片に連係させてクレセントの掛け金具が回動摺接する弾性体からなる摺接部を一体的に設けてなり、
上記樹脂カバーは、クレセント受け具の開口部に連通する連通孔を設けてクレセント受け具の屋内側露出面の形状に略適合する形状にてなると共に、クレセント受け具の屋内側面においてクレセント受け具の係合突片と開口部を除く他の屋内側露出面を覆つてなり、
かつ、上記樹脂カバーの摺接部は、上記クレセント受け具の係合突片の背部に配置されて、該摺接部にクレセントの掛け金具が回動摺接自在とされることを特徴とする。
【０００７】
また請求項２記載の本発明は、請求項１に記載の本発明において、上記樹脂カバーの略中央部に一体的に設けた弾性体からなる略棒片を、クレセント受け具の係合突片の背部に巻き回すことによってクレセントの掛け金具が回動摺接する摺接部としてなることを特徴とする。
【０００８】
また請求項３記載の本発明は、請求項２に記載の本発明において、上記樹脂カバーに一体的に設けた摺接部は、クレセント受け具の係合突片の突出方向に向けて湾曲面を有してなり、この湾曲面にクレセントの掛け金具が回動摺接自在としてなることを特徴とする。
【０００９】
また請求項４記載の本発明は、請求項２又は３に記載の本発明において、上記樹脂カバーは、一体的に設けた摺接部を、クレセント受け具の係合突片の背部に巻き回し係止すると共に、縁部において屋外側に向けて突設した固定爪をクレセント受け具の側縁に係止することにより、クレセント受け具に着脱自在に取付けられることを特徴とする。
【００１３】
【発明の実施の形態】
以下、本発明の実施形態を図面に沿って詳細に説明する。図１は本発明のサッシ窓の屋内側から見た正面図、図２は本発明のサッシ窓の屋内側から見た横断面図、図３はその縦断面図、図４は図２の召合框部の拡大図、図５は図４の拡大説明図、図６は図５の要部分解図で、（ａ）はクレセント受け具と樹脂カバーの組立断面図、（ｂ）はクレセント受け具の断面図、（ｃ）は樹脂カバーの断面図、図７はクレセント受け具と樹脂カバーの分解正面図、図８は図７の組立正面図、図９は図８のＡ−Ａ線断面図である。
【００１４】
これら各図において、本発明に係る複合サッシは、窓開口部Ａに装着される複合窓枠１内に、アルミ框１３の屋内側露出部分を樹脂框１４で覆って複合型とした一対の引き違い障子１０を納めると共に、この障子１０にクレセント５０とクレセント受け具６０からなるクレセント錠を取付けて構成されている。
そして、本発明の障子掛け止め構造は、上記外障子１０Ａに取付けたクレセント受け具６０の屋内側露出面に樹脂カバー７０を着脱自在に被着すると共に、クレセント受け具６０に設けた係合突片６１に連係させてクレセント５０の掛け金具５１が回動摺接する弾性体からなる摺接部７１を設けて構成される。
そして以下、本発明の複合型のサッシ窓について詳細に説明する。
【００１５】
一実施形態として説明する窓枠１を構成する各枠材は、ベースとなるアルミ枠２とその屋内側露出部分を覆う樹脂枠３とから構成されている。すなわち、アルミ枠２は、アルミ上枠２１、アルミ下枠２２、アルミ縦枠２３、２４を方形に枠組みして構成され、樹脂枠３は、樹脂上枠３１、樹脂下枠３２、樹脂縦枠３３、３４を方形に枠組みして構成されている。
【００１６】
そして、上記樹脂上枠３１はアルミ上枠２１に、樹脂下枠３２はアルミ下枠２２に、樹脂縦枠３３はアルミ縦枠２３に、樹脂縦枠３４はアルミ縦枠２４に、それぞれ取付けられている。
なお、上記アルミ枠２はアルミの押し出し型材にて成型され、また樹脂枠３は塩化ビニルやアクリル樹脂等から押し出し成型される。また、これ等の樹脂材には、木材粉等を混入させて、外観上あたかも木材で形成されているかの観を呈することもできる。
【００１７】
一方、外障子１０Ａと内障子１０Ｂとからなる各障子１０は、上下及び左右の框材を方形に框組みしてなる框体１１内に複層ガラス１２を納めてなる。また、屋外側には網戸４が取付けてある。この框体１１を構成する上框１１ａ、下框１１ｂ、縦框１１ｃ、召合框１１ｄ（内外の召合框）の各框材も、上記窓枠１と同様に、アルミ框１３とその屋内側露出部分を覆うように取付けられた樹脂框１４とで構成されている。
すなわち、上記樹脂上框１４ａはアルミ上框１３ａに、樹脂下框１４ｂはアルミ下框１３ｂに、樹脂縦框１４ｃはアルミ縦框１３ｃに、樹脂縦框１４ｄはアルミ縦框１３ｄに、それぞれ取付けられている。
【００１８】
また、上記アルミ框１３はアルミの押し出し型材にて成型され、また樹脂框１４は塩化ビニルやアクリル樹脂等から押し出し成型される。また、これ等の樹脂材には、窓枠１と同様に木材粉等を混入させることもできる。
以下、上記したアルミ枠２と樹脂枠３、及びアルミ框１３と樹脂框１４についてそれぞれ順次説明する。
【００１９】
まず、上記したアルミ下枠２２は、図２及び図３に示すように、その内周面を階段状に形成してなり、その面より、屋外側の下外レール２２ａ及び屋内側の下内レール２２ｂを突出形成してある。そして、このアルミ下枠２２に対し、３個の樹脂枠からなる樹脂下枠３２が取り付けられる。
すなわち、樹脂下枠３２は、屋内側の下内レール２２ｂと立ち上がり片の間に第１樹脂枠である樹脂本枠４１を、立ち上がり片の屋内側に第２樹脂枠である樹脂補助枠４２を、かつ、屋外側の下外レール２２ａと屋内側の下内レール２２ｂの間に第３樹脂枠である樹脂カバー枠４３をそれぞれ取り付けて、屋外側の下外レール２２ａから屋内側のアルミ下枠２２の内周面のほぼ全体を覆うように設置されている。
第３樹脂枠である樹脂カバー枠４３は、下外レール２２ａと下内レール２２ｂの間において、外障子１０のみの屋内側見付け方向に取り付けられるもので、平板状の水平板と、この屋内側に連続する逆Ｌ字状のＬ字片とで横断面略Ｚ型をして構成されている。樹脂カバー枠４３のアルミ縦枠２３側に位置する左端部は、樹脂縦枠３３に当接すると共に、その上面を戸当りブロック３５で押え付け係止されている。
【００２０】
次に、図３に示すように、アルミ上枠２１は、上枠本体に対し、上記アルミ下枠２２における屋外側の下外レール２２ａに対応する位置に、垂下片を有すると共に、屋内側に突出片を有している。垂下片は、樹脂上枠３１の係止片と一体となって屋外側の上外レールを構成する。樹脂上枠３１は、上記垂下片よりも屋内側のアルミ上枠２１の内周面を覆うように設置される。
【００２１】
次に、図２にそって左右の縦枠の構成について説明する。同図における左側のアルミ縦枠２３は、その内周面における略中央に係止突片を有すると共に、屋内端に上記係止突片と平行する当接片を有する。樹脂縦枠３３は、アルミ縦枠２３の略半分の見込幅を有しており、係止突片の屋内側におけるアルミ縦枠２３の内周面を覆うように設置されている。
【００２２】
また、右側のアルミ縦枠２４は、その内周面における略中央に係止突片を有すると共に、屋内端に上記係止突片と平行する当接片を有する。樹脂縦枠３４は、アルミ縦枠２４の略半分の見込幅を有しており、係止突片の屋内側におけるアルミ縦枠２４の内周面を覆うように設置されている。
【００２３】
次に、外障子１０Ａと内障子１０Ｂを構成する框体１１は、その上框１１ａ、下框１１ｂ、縦框１１ｃ、召合框１１ｄの各框材が、上記窓枠１と同様に、アルミ框１３とその屋内側露出部分を覆うように取付けられた樹脂框１４とで構成されている。
そして本発明においては、上記樹脂上框１４ａはアルミ上框１３ａに、樹脂下框１４ｂはアルミ下框１３ｂに、樹脂縦框１４ｃはアルミ縦框１３ｃに、樹脂縦框１４ｄはアルミ縦框１３ｄに、それぞれ嵌合機構によってスライド嵌合自在に取付けられている。すなわち、框材及び又は樹脂材の両端部に嵌合溝を設け、該嵌合溝に他方の部材の側片を嵌合させてスライド取付けを行なっている。
【００２４】
そして、本発明においては、外障子１０Ａの屋外側縦框を構成する召合框１１ｄにクレセント５０が取付けられ、内障子１０Ｂの屋内側縦框を構成する召合框１１ｄにクレセント受け具６０が取付けられてなる。
以下、外障子１０Ａと内障子１０Ｂの各召合框１１ｄ、１１ｄに取付けたクレセント錠について、図４〜図１１に基づいて詳細に説明する。
【００２５】
上記図１、図４、図５に示すように、本発明の障子掛け止め構造は、上記外障子１０Ａに取付けたクレセント受け具６０の屋内側露出面に樹脂カバー７０を着脱自在に被着すると共に、クレセント受け具６０に設けた係合突片６１に連係させてクレセント５０の掛け金具５１が回動摺接する弾性体からなる摺接部７１を設けて構成されるものである。
【００２６】
まず、上記クレセント５０は、図１、図４に示すように、ベース金具５２に掛け金具５１を回動自在に軸着してなるもので、内障子１０Ｂに対し、その召合框１１ｄの側面に上記ベース金具５２をビス固定することにより取付けられる。
そして、上記掛け金具５１を、その基端部の取手を介して回動・作動することにより、先端部の半円係止片がクレセント受け具６０の係合突片６１に係止されて障子１０の施錠を行なうものである。
【００２７】
上記クレセント受け具６０は、図６に示すように、一例として横長の長方形平板からなり、平板の右半部を取付基部６３とすると共に、左半部に上記クレセント５０の掛け金具５１が回動挿入される開口部６２を形成し、かつ、この開口部６２に向けて突出する係合突片６１を中央部に設けてなるもので、外障子１０Ａの召合框１１ｄの屋内面に対し、上記取付基部６３をビス固定することにより外障子１０Ａに取付けてなる。すなわち、図５に示すように、上記取付基部６３を外障子１０Ａの召合框１１ｄの屋内面の中間部に当接させてビス固定することにより、クレセント受け具６０は側方に突出するようにして、外障子１０Ａに取り付けられる。
なお、上記クレセント錠を構成するクレセント５０とクレセント受け具６０の構成は、特に限定されるものではなく、任意の形態変更が可能であり、また、これらは、ステンレススチールや亜鉛ダイカスト等の金属部材から形成される。
【００２８】
次に、上記外障子１０Ａに取付けたクレセント受け具６０の屋内側露出面に被着する樹脂カバー７０について説明する。
まず、この樹脂カバー７０は、図６〜図８に示すように、外障子１０Ａの側方から突出するようにして取付けられたクレセント受け具６０の屋内側露出面（取付基部６３は除く）の形状に略適合する平板形状にてなると共に、クレセント受け具６０の開口部６２に連通する連通孔７３を設けてなり、そして、該連通孔７３を臨むように略棒片からなる摺接部７１を中央部に設けると共に、上下部には屋内側に突出する突段部７２、７２を設けてなる。
【００２９】
すなわち、この樹脂カバー７０は、内部を方形状にくり貫いて連通孔７３を形成した、全体として方形状の額縁形状をした角輪状にてなるものであって、左側片と右側片と上下片とが方形状に連続してなり、そして、左側片の中央部に内方を向き屋外方向に突出した上記摺接部７１を設けると共に、上下片に突段部７２、７２をそれぞれ設けて構成される。
しかるに上記樹脂カバー７０は、クレセント受け具６０の屋内側露出面において、クレセント受け具６０の係合突片６１と開口部６２を除く他の屋内側露出面を覆うようにしてなる。なお、クレセント受け具６０の取付基部６３は、召合框１１ｄに固定され、その屋内側面は樹脂縦框１４ｄにて被覆されるため、上記樹脂カバー７０で覆う必要はない。
【００３０】
上記樹脂カバー７０の左側片に設けられた摺接部７１は、左側片の中間部を四角形状に切り欠いた切欠部７５を形成することによって、横断面略角状の弾力性のある棒片にて形成されると共に、その側面が内方に突出した湾曲面７１ａを有してなる。すなわち、上記樹脂カバー７０を上記クレセント受け具６０に取付けた状態においては、クレセント受け具６０の係合突片６１の背部において樹脂カバー７０の一部を構成する上記棒状の摺接部７１が、係合突片６１に巻き回し状に掛け止めされて取付けられることになる。
したがって、クレセント５０の掛け金具５１がクレセント受け具６０の係合突片６１に係止される際に、掛け金具５１の先端部の半円係止片の側面が、弾性体からなる上記摺接部７１の湾曲面７１ａに回動摺接して、金属部材からなる掛け金具５１と係合突片６１とが擦れ合うことによって発生する摩擦音を無くすことができる。
なお、上記摺接部７１は、樹脂カバー７０とは別体に構成して係合突片６１の背部に着脱自在に取付けるようにしてもよい。すなわち、クレセント５０の掛け金具５１が摺接できるものであれば、その形状や取付け態様等は、自在に変更できるものである。
【００３１】
また、樹脂カバー７０の上下片に設けた突段部７２、７２は、図５に示すように、障子１０を閉める時に、屋内側の召合框１１ｄの屋外側面に設けた煙返し８０が当接するように屋内側に突出して設けられている。すなわち、この突段部７２によって、屋内外に対峙する相互の召合框１１ｄ、１１ｄの間隔Ｄ（図６参照）を拡げることにより、所謂“ちり出し”調整をすることができ、上記内側の召合框１１ｄの煙返し８０と外側の召合框１１ｄ、及びクレセント受け具６０との干渉・衝突を防止することができる。また同時に、内側の召合框１１ｄのタイト材９１と外側の召合框１１ｄ、及びクレセント受け具６０との衝突も防止することができる。
【００３２】
上記各突段部７２は、横長手方向に連続して形成され、中間部を平面状とすると共に、その両側部を樹脂カバー７０の表面に連続する傾斜面７２ａ、７２ａを設けて形成してあり、この傾斜面形態により上記“ちり出し”調整が順次円滑に行えるようにしてある。すなわち、上記両側に設けた傾斜面７２ａ、７２ａにより、対峙する召合框１１ｄ、１１ｄの間隔を徐々に拡げ、次に一定の拡がり状態を継続し、次に徐々に拡がり状態を減少させるようにして円滑な“ちり出し調整”が行えるようにしてある。
なお、上記傾斜面７２ａは、必ずしも設ける必要はなく、また、突段部７２は樹脂カバー７０に一体的に設けることなく、これとは別体に設けてもよい。すなわち、召合框１１ｄの屋外側面に設けた煙返し８０が当接できるものであれば、その形状や取付け態様等は、自在に変更できるものである。
【００３３】
上記樹脂カバー７０は、内部を方形状にくり貫いて連通孔７３を形成し、該連通孔７３をクレセント受け具６０の開口部６２に連通させてある。すなわち、クレセント錠の施錠に際しては、クレセント５０の掛け金具５１が、上記一体的連通した連通孔７３と開口部６２に回動挿入して、クレセント受け具６０との係止が行われる。
【００３４】
また、樹脂カバー７０の上下片には、屋外側に突出する略コ字状をした固定爪７４、７４を設けてある。
そして、上記樹脂カバー７０の略中央部に一体的に設けた棒片からなる摺接部７１を、クレセント受け具６０の係合突片６１の背部に巻き回し係止すると共に、上記固定爪７４、７４をクレセント受け具６０の側縁に係止することにより、樹脂カバー７０をクレセント受け具６０に着脱自在に取付けるものである。
【００３５】
次に、上記図４〜図９に基づいて本発明による樹脂カバー７０をクレセント受け具６０に被着する手順について説明する。
まず、上記樹脂カバー７０を、その略中央部に一体的に設けた摺接部７１を、クレセント受け具６０の係合突片６１の背部に巻き回し状に係止し、同時に上下部に設けた固定爪７４、７４をクレセント受け具６０の側縁に係止することにより、クレセント受け具６０に取付ける。また、この樹脂カバー７０のクレセント受け具６０からの取外しは、上記摺接部７１の係止と、固定爪７４の係止をそれぞれ解除することにより行う。
【００３６】
上記構成からなる樹脂カバー７０は、クレセント受け具６０の屋内側露出面において、クレセント受け具６０の係合突片６１と開口部６２を除く他の屋内側露出面を覆うと共に、連通孔７３が開口部６２に一体的に連通してなる。
そこで、クレセント錠の施錠に際しては、クレセント５０の掛け金具５１が、上記一体的に連通した連通孔７３と開口部６２に回動挿入して、クレセント受け具６０との係止が行われる。
この時、掛け金具５１の側面が、弾性体からなる上記摺接部７１の湾曲面７１ａに回動摺接して、金属部材からなる掛け金具５１と係合突片６１とが擦れ合う摩擦音を防止する。
【００３７】
また、上記樹脂カバー７０の上下片には突段部７２、７２が設けてあり、障子１０を閉める時に、屋内側の召合框１１ｄの屋外側面に設けた煙返し８０が当接して屋内側に突出することによって、屋内外に対峙する相互の召合框１１ｄ、１１ｄの間隔を拡げて“ちり出し”調整をすることができ、内側の召合框１１ｄの煙返し８０と外側の召合框１１ｄ、及びクレセント受け具６０との干渉・衝突を防止する。
更に、上記突段部７２の長手方向の両側部には傾斜面７２ａ、７２ａを形成してあり、この傾斜面７２ａ、７２ａにより、対峙する召合框１１ｄ、１１ｄの間隔を徐々に拡げ、次に一定の拡がり状態を継続し、次に徐々に拡がり状態を減少させるようにして、より円滑な“ちり出し”調整を行う。
【００３８】
以上、本発明の実施形態を図面にそって説明した。しかしながら、本発明は上記実施形態に記載された事項に限定されず、特許請求の範囲の記載に基づいてその変更、改良が可能である。例えば、樹脂カバー７０の形態や、その摺接部７１の構造や、クレセント錠等の形態は、任意に設計変更が可能である。
【００３９】
【発明の効果】
以上のように本発明によれば、外障子に取付けたクレセント受け具の屋内側露出面に樹脂カバーを着脱自在に被着したことから、金属製のクレセント受け具の室内側の露出部分が樹脂カバーで覆われて、障子框全体の断熱性をより一層向上させることができると共に、屋内側への結露を抑え、また金属製のクレセント受け具の視覚的な冷たさを排除して室内装飾との一体性を持たせることによって意匠の向上を図る効果がある。
また本発明によれば、上記樹脂カバーには、クレセント受け具に設けた係合突片に連係させてクレセントの掛け金具が回動摺接する弾性体からなる摺接部を一体的に設けたことから、クレセントの掛け金具がクレセント受け具の係合突片に係止される際に、掛け金具が、弾性体からなる上記摺接部に回動摺接して、金属部材からなる掛け金具と係合突片とが擦れ合うことによって発生する摩擦音を無くして、音鳴りの防止を確実に図ることができ、その結果、断熱性の向上と、音鳴りの防止を同時に図ることができる効果がある。
【００４０】
また本発明によれば、上記樹脂カバーは、クレセント受け具の開口部に連通する連通孔を設けてクレセント受け具の屋内側露出面の形状に略適合する形状にてなると共に、クレセント受け具の屋内側面においてクレセント受け具の係合突片と開口部を除く他の屋内側露出面を覆つてなるから、金属製のクレセント受け具の全体を確実に覆って視覚的な冷たさを排除して意匠の向上を一層図る効果がある。
【００４１】
また本発明によれば、上記樹脂カバーに一体的に設けられた摺接部は、クレセント受け具の係合突片の突出方向に向けて湾曲面を有してなることから、この湾曲面に掛け金具の側面が回動摺接することにより、クレセント掛け金具の回動をより円滑にして、金属部材の擦れ合う摩擦音を確実に無くすことができる効果がある。
【００４２】
また本発明によれば、上記樹脂カバーは、略棒片からなる摺接部をクレセント受け具の係合突片の背部に巻き回し係止すると共に、縁部の固定爪をクレセント受け具の側縁に係止することにより、クレセント受け具に着脱自在に取付けたから、その樹脂カバーのクレセント受け具への取付けを容易にできると共に、取外しも簡単になし得て、その交換が容易にできる効果がある。
【図面の簡単な説明】
【図１】本発明のサッシ窓の屋内側から見た正面図
【図２】本発明のサッシ窓の屋内側から見た横断面図
【図３】図２の縦断面図
【図４】図２の召合框部の拡大図
【図５】図４の拡大説明図
【図６】図５の要部分解図で、（ａ）はクレセント受け具と樹脂カバーの組立断面図、（ｂ）はクレセント受け具の断面図、（ｃ）は樹脂カバーの断面図
【図７】クレセント受け具と樹脂カバーの分解正面図
【図８】図７の組立正面図
【図９】図８のＡ−Ａ線断面図である。
【符号の説明】
Ａ    窓開口部
１    窓枠
２    アルミ枠
３    樹脂枠
４    網戸
１０    窓障子
１１    框体
１１ａ  上框
１１ｂ  下框
１１ｃ  縦框
１１ｄ  召合框
１２    複層ガラス
１３    アルミ框
１３ｃ  アルミ縦框
１４    樹脂框
１４ｃ  樹脂縦框
２１    アルミ上枠
２２    アルミ下枠
２２ａ  下外レール
２２ｂ  下内レール
２３    アルミ縦枠
２４    アルミ縦枠
３１    樹脂上枠
３２    樹脂下枠
３３    樹脂縦枠
３４    樹脂縦枠
３５    戸当りブロック
４１    樹脂本枠
４２    樹脂補助枠
４３    樹脂カバー枠
５０    クレセント
５１    掛け金具
５２    ベース金具
６０    クレセント受け具
６１    係合突片
６２    開口部
６３    取付基部
７０    樹脂カバー
７１    摺接部
７１ａ  湾曲面
７２    突段部
７２ａ  傾斜面
７３    連通孔
７４    固定爪
７５    切欠部
８０    煙返し
８１    タイト材
【図１】
0003625765.tif 000002
【図２】
0003625765.tif 000003
【図３】
0003625765.tif 000004
【図４】
0003625765.tif 000005
【図５】
0003625765.tif 000006
【図６】
0003625765.tif 000007
【図７】
0003625765.tif 000008
【図８】
0003625765.tif 000009
【図９】
0003625765.tif 000010